(57)【要約】      （修正有）【課題】効果的な角度、方向で、必要な時間、自分で容易に圧力を加えることができる人体ほぐし具を提供する。【解決手段】ストラップ３に荷重部２が連接されてなり、ストラップ３の中間部にストラップ３に略沿う方向に肩押圧部１が設けられてなり、肩押圧部１は容易に変形することのない剛性を有するものであることを特徴とする。そして、ストラップ３に荷重部２が連接されていることにより肘関節、または、肘関節から前腕部がタッチする荷重部２にて、荷重することができる。【選択図】図１
0003146183.tif 000002
【実用新案登録請求の範囲】
【請求項１】
ストラップに荷重部が連接されてなり、前記ストラップの中間部に当該ストラップに略沿う方向に肩押圧部が設けられてなり、当該肩押圧部は容易に変形することのない剛性を有するものであることを特徴とする人体ほぐし具。
【請求項２】
荷重部の上面が、肘当て面とされていることを、特徴とする請求項１記載の人体ほぐし具。
【請求項３】
荷重部には、ウエイトを連結する手段が、設けられていることを特徴とする請求項１または２記載の人体ほぐし具。
【請求項４】
荷重部には、脚掛け部が設けられていることを、特徴とする請求項１〜３のいずれかに記載の人体ほぐし具。
【請求項５】
肩押圧部には、突条もしくは複数個の突部が、連設されていることを特徴とする請求項１〜４のいずれかに記載の人体ほぐし具。
【請求項６】
肩押圧部は、ストラップに剛性体を挿着して、形成されていることを特徴とする請求項１〜５のいずれかに記載の人体ほぐし具。
【請求項７】
肩押圧部に、バイブレーション効果を発生させる手段が、設けられていることを特徴とする請求項１〜６のいずれかに記載の人体ほぐし具。
【請求項８】
肩押圧部に、もみほぐし効果を発生させる手段が、設けられていることを特徴とする請求項１〜７のいずれかに記載の人体ほぐし具。
【考案の詳細な説明】
【技術分野】
【０００１】
本考案は、肩、首のこりを簡単にほぐすことが出来る人体ほぐし具に関する。
【背景技術】
【０００２】
肩のこりを感じる人は、通常は、専門のマッサージ師や、手技療法師、椅子型や、局所的なマッサージ装置を使用するのが一般である。
マッサージ師は都合の良い時間に利用できないことが多いし、長時間の治療は当然料金が高くなるし、マッサージ師も指を痛める等、時間には限度もある。そこで、従来の人体ほぐし具には、特許文献１に示されている、肩にかけて使用するベルト式マッサージ機が提案されている。それは下のほうに振動発生源が組み込まれている。そして両手を使って下方に押すように使用する。
【０００３】
また、特許文献２に示すように、一対の指圧部材を使用した多機能あんま器も提案されている。これは、一対の指圧部材をもって肩などを揉み指圧することが可能となっている。
【特許文献１】特開２００１−１９８１７０号公報
【特許文献２】実開昭５８−１８２７３７号公報
【考案の開示】
【考案が解決しようとする課題】
【０００４】
人の肩付近を、ほぐそうとする場合、もっとも効果が見られるのは、首のつけ根である、肩中ゆ、の付近を、人体の中心部の方向へ圧力を加えることである。
【０００５】
しかしながら以上に述べた従来の人体のほぐし具である特許文献１では、特許文献１図９のように両手で下方に加えた場合、肩中ゆ、の周りが緊張して十分な効果を発揮しえない。そのうえ、荷重する部分にマッサージの振動発生源があり、荷重を強力にしてマッサージ等をするほど荷重部の振動が増幅するため快適さをうしなうことになる。
【０００６】
また、肩中ゆ、の付近に圧力を加えた時に、指圧突起付近は変形し易いため、荷重すればするほど、人体に沿うように湾曲して頚動脈を締め付けてしまい苦痛を与えてしまう。（図２６（１）、（２）参照）
【０００７】
又、指圧突起の凸部が離れた点状存在するものであるため、肩中ゆ、の付近の、コリやツボのピンポイントを押圧するとき、せっかくピンポイントにあてたとしても、指圧突起が、ピンポイントから、ずれやすい。そして、強く押すほど、ポイントからずれやすいものであった。（図２７（１）、（２）参照）
そのうえ、さらに、振動発生源の大きさ、重さが、じゃまになり、歩行あるいは仕事がしずらくなる。
【０００８】
次に特許文献２の多機能あんま器は、対の指圧部材で、肩などを、つまむように使うため、肩、首のコリ、ツボのポイントに集中して刺激を加えることは困難である。
【０００９】
脳梗塞の後遺症などで、片麻痺などがあり、片腕が思うように動かせない患者は、正常な健常側にて、つらい後遺症のある側の、肩、首を効果的に、ほぐすことが出来なかった。本考案は、このような従来の構成が有していた問題を解決しようとするものである。
【課題を解決するための手段】
【００１０】
本考案は上記の従来の技術の欠点を解消すべく、鋭意、研究の結果、考案されたものであり、ストラップに荷重部が連接されてなり、前記ストラップの中間部に当該ストラップに略沿う方向に肩押圧部が設けられてなり、当該肩押圧部は容易に変形することのない剛性を有するものであることを特徴とする人体ほぐし具である。
【００１１】
前記の肩押圧部は、殆ど変形しないか、わずかに湾曲してもよいが、肩に押した時に、容易に変形せずに、人体を押圧する剛性をもっているものになされている。容易に変形することのない剛性とは、肩押圧部に、力を加えて肩に押圧させた時に、形状を保ちながら、人の肩の肩中ゆ付近を効果的に押圧できる剛性さを、保有することを、意味する。具体的には、アルミニウムなどの金属、硬質プラスチック、木製、硬質ゴム類、などが使用可能である。
【００１２】
そして、ストラップに荷重部が連接されていることにより肘関節、または、肘関節から前腕部がタッチする荷重部にて、荷重することができる。
【００１３】
また、荷重部の上面が肘当て面とされていてもよい。そして、荷重部にはウエイトを連結する手段が設けられていることもある。それから、荷重部には脚掛け部が設けられていることもある。また、肩押圧部には突状もしくは複数個の突部が連設されていてもよい。
そして、肩押圧部は、ストラップに剛性体を挿着して形成されている場合には、肩押圧部の取り替えが出来る。
【００１４】
それから、肩押圧部に、バイブレーション効果を発生させる手段が設けられていることもある。その、肩押圧部に、もみほぐし効果を発生させる手段が設けられていることを選択してもよい。
【考案の効果】
【００１５】
上述したように本考案の人体ほぐし具は、人体の形状の為、肩から首にかけて、特に肩こりに効く特別なツボの代表である肩中ゆ、の付近の、コリかたまった、
点のポイントの位置を、位置ずれしにくく、位置ずれしても修正しやすく、強烈な圧力を必要とする患者でも、十分に満足して効果のある圧力で、効果的な角度、方向で、必要な時間、自分で容易に圧力を加えることができる人体ほぐし具を提供できる。
【００１６】
本考案ならではの、たすきがけのような使用方法ができるため、ほぐす側の上肢は使用せずに反対側の肘関節、または肘関節から前腕部がタッチする荷重部にて、肩押圧部の前後２箇所を人体内部へ、楽に、強力に引っぱれる為、ほぐす側の肩中ゆ、の周りを緊張させることなく、安定した押圧が可能な荷重方法にて、ほぐすことができる。
【００１７】
そのため、強力圧力を加えても、疲れずに行なえ、長時間の使用でも疲れない。そして、押圧する肩押圧部にマッサージの機能、振動、などの発生源があるため、荷重を強力にしてマッサージ等をしても、荷重部の振動が増幅しにくく、コリ、ツボ部には、押圧力が増幅しやすいため、快適に使用できる。
【００１８】
肩中ゆ、の付近に圧力を加えた時に、肩押圧部は容易に変形することのない剛性があるため、変形しないか、わずかに湾曲するだけなので、荷重しても、変形し過ぎて、首の前方を押圧する不快感や、頚動脈を締め付けることがなく使用できる。人の肩の形に変形するようでは、肩中ゆ付近への押圧効果が減少してしまうが、肩押圧部に容易に変形することのない剛性を有することにより、押圧効果が、増加する。
【００１９】
たすきがけのような使用方法ができるため、肩押圧部は、自然に肩中ゆ付近のコリ、ツボの点のポイントにあたる。そのため、本考案でも使用している、従来と同じような、指圧突起が、点である凸部であっても、肩中ゆ付近の、コリやツボのピンポイントを押圧しやすく、指圧突起が、ピンポイントから、ずれにくい。そのうえ、本考案 の一例でもある、形状では、肩押圧部は、指圧突起の点である凸部がつながった線として、作用するため、指圧突起が、ピンポイントから、さらに、ずれにくい。
【００２０】
そして、前記したように、指圧突起の点である凸部がつながった線として、作用するため、強く押しても、ポイントからずれにくいだけでなく、一番の強い刺激部があたっているのを、わざとずらしてから、また、あてるというような、グリグリとほぐすマッサージが、動力がある肩押圧部でも、動力がない肩押圧部でも、可能である。
【００２１】
これは、皮膚には、伸縮性があり、押さえる皮膚の位置は変えずに、ポイントのコリをほぐす、マッサージ師の手技方法を、さらに効果的に使用可能にできる本考案の効果である。
【００２２】
そして、荷重部を、下に押し下げる荷重方法は、肩甲骨を下に押し下げる動作、上肢を脇へ近づける動作であり、コリの原因となる、肩甲骨を上に持ち上げる動作、上肢を脇から離す動作の、筋肉の収縮、緊張状態と、反対の、拮抗する筋肉の収縮、緊張状態となる為、今までの人体ほぐし具とちがい、ほぐしているほうと反対側の、荷重している側の、肩、首、上肢の症状の軽快になる使用方法ができる。ちなみに、この理論は、医学的には常識であるが、従来技術は、形状的に、不可能であった。
【００２３】
また、マッサージの機能、振動、などを、肩押圧部に設けることにより、デスクワークやパソコンの業務、読書を行える両手が使用可能な状態にて、使用することが出来る。そのため、歩行、あるいは仕事がしやすい。
【００２４】
そして、肩押圧部が小さなタイプの人体ほぐし具では、外さない状態にて人体につけた使用準備状態で、歩行にもデスクワークにも、じゃまにならない使用準備状態でいられる。また、使用準備状態からの、使用や、取り外しが簡単である。
【００２５】
そのため、お風呂の浴槽に入った状態や、イスに座った状態、ベッドで仰臥したリラックスする姿勢での使用にも適しており、防水機能を設けやすい構造のタイプもある。
【００２６】
脳梗塞の後遺症などで、片麻痺などがあり、片腕が思うように動かせない患者が、正常な健常側にて、つらい後遺症のある側の、肩、首、を効果的に、ほぐすことが出来る。
【考案を実施するための最良の形態】
【００２７】
以下、本考案の実施の形態を図１〜図２５に基づいて説明する。
【００２８】
図１は、ストラップ３の中間部にある肩押圧部１を、右肩の首のつけ根にあて、荷重部２に左肘を、あてがって、つっぱっり、右肩のこったところのほぐしを、強く圧迫している図である。
【００２９】
使っているとき、左上肢には力が入るが、右上肢には力が入らないため、右肩の筋肉が収縮されることがない、そのため、右肩のコリがほぐれてくる。
【００３０】
図１では右側にある肩押圧部１が、ポイントに、効果的に圧力が加わるべき矢印と、同じ方向に荷重部２があり、たすきがけのような姿勢にて、荷重することにより、人体の中心部へ圧力が加わり、ポイントを効果的に、ほぐすことが、可能なことを、説明してある。
【００３１】
尚、この時の矢印の角度は、正面では中心線より、３１°（２０°〜４０°）、側面では中心線より１２°（５°〜２５°）が、効果的な角度である。
【００３２】
その為、肘と前腕部の力が加わった強烈な圧力から、軽く、肘と前腕部の重みを加えた微弱な圧力までの、押圧力の調節が可能であり、位置ずれせずに、ストレス無く、従来の人体ほぐし具よりも快適に使用できる。
【００３３】
肩押圧部１は、容易に変形することのない剛性を有するものであればよいが、肩押圧部１の、人体接地面を、弾性体、柔軟素材などを使用し、人体にタッチした時のソフト感、安心感を感じられるようにする構造、素材にしてもよい。
【００３４】
図２（１）は、図１（２）を、後面から見た拡大図である。  図２（２）は、図１（１）の右肩の拡大図である。剛性をもった肩押圧部１（図示せず）が、右肩の、こった部分を直接的に押圧している。
【００３５】
人体は肩に丸みがあるため、硬い肩押圧部１が、肩中ゆ付近のコリのポイント部分に正しくセッティングされ、押圧時に方向がずれることもない。    
【００３６】
また、これは人体解剖学的に説明すると、伸縮性のある皮膚があり、体表に近い筋肉があり、深部の筋肉、神経がある。肩中ゆ、の付近の、コリかたまった、点のポイントは、前記した深部の筋肉と、神経にあたる。
【００３７】
肩押圧部１が皮膚に密着して、圧迫することにより、ポイントのツボ、コリである深部の筋、神経を、線でもあり、点としても作用する肩押圧部１にて押しつぶすことができる。
【００３８】
皮膚には、たわみ、ゆるみ、あそび、があるため圧迫すると、肩押圧部１と皮膚の接する位置は、かわらずとも、皮膚の内部のコリの部分、筋肉が停止した骨の部分を、押圧して、はずして、を繰り返すことも可能である。
【００３９】
これは、皮膚の、たわみ、ゆるみ、あそび、の特性を利用した、ほぐしの効果的な方法であり、熟練した指圧師、マッサージ師、手技療法師、などが行う、ほぐしの技術を本考案で、人体ほぐし具として、可能にした。
【００４０】
図３は、考案した人体ほぐし具の全体図を、数例説明している。
【００４１】
（１）は上方に肩押圧部１があり、下方が肘当て面、荷重部２とされている。
（２）は上方に肩押圧部１があり、下方の肘当て面、荷重部２がカバン状になっている。（３）は上方に肩押圧部１があり、下方の肘当て面、荷重部２の下に垂れ下がった延長部があり、その先端に足掛け部４が設けられている。
（４）は上方に肩押圧部１があり、下方の肘当て面、荷重部２にウエイト５が取り外し可能となっている。
【００４２】
図４（１）正面図、（２）側面図では、左肩をほぐす場合を説明している。肘の掛け方は前腕部の内側をストラップ３が通っている。
【００４３】
図５は、（１）側面図の状態から、（２）側面図のように、前腕部を倒すと、更に荷重が、加わる様を示している。
【００４４】
図６の筒状の荷重部２により、ストラップ３を軽く包むようにしたものである。
【００４５】
図７は、更に荷重部２を長くして、肘から前腕の先の手まで荷重させる荷重方法である。
【００４６】
図８は、お風呂に入りながらの使用も、可能であることを示している。
【００４７】
図９は、仰臥した状態にて、使用している状態である。
【００４８】
図１０は、荷重部２には、カバン状のウエイト５を、連結する手段が設けられていることの一例である。このような使用方法では、イスに座りながら使用したり、歩行しながら使用することもできる。
【００４９】
図１１（１）荷重部２にはウエイト５を連結する手段もある。また巾着のような袋状のもの（２）にてウエイト５を入れることもできる。
【００５０】
図１２は、荷重部２が足掛け部４になっている。または荷重部２と繋がっている、一例を説明している。
【００５１】
図１３（１）、（２）にある回転軸Ａ部は、この部分でも、指圧効果があり、コリ、ツボ部を押圧し続ける。そして、軸受けＣの中に設けた動力源により、回転させることにより、突条部Ｂがコリ、ツボ部を、例えば、螺旋状の突条にて、さらにほぐすことができる。
【００５２】
図１４は、螺旋状の突条部Ｂが２個あるが、これは、３個以上でもよく、使用する感覚に合わせて、変更可能である。
また、回転軸Ａにおいても、指圧効果があるため、回転軸Ａと突条部Ｂの段差は、使用感覚に合わせて、大小変化させてもよい。また、スムーズに変化させるには段差が、なく、滑らかに変化させるものも考えられる。
【００５３】
本考案器具のマッサージ部全般において、いえるが、回転だけではなく、さまざまな、公知の手段にてマッサージ効果のある器具を、肩押圧部１に装着、取り付けることができ、表面には、図１５の、ほぐし部カバーＤのような丈夫な肌触りのよく、摩擦に強い布や、ビニール状のもの、その他、公知のものから、新素材まで、かぶせるように、することもある。そして、ほぐし部カバーＤの内部は、いろいろなマッサージ効果のある器具を取り付けてつくることも、考えられる。また、胸、背、肩押圧部Ｅのように、肩押圧部１が、強い圧力を加えても、反転しない構造も、考えられる。
【００５４】
図１６（１）は、回転した時に、押圧突起Fが、人体を押圧しない時がある形状である。（２）は、押圧突起Ｆが、大経部状となっているものである。（３）は、押圧突起Ｆが、不規則になっているものである。
【００５５】
図１７（１）（３）（５）は、側面図である。（２）（４）（６）は、正面図である。（２）、（４）、（６）のような、突状突起Ｇを設けることもできる。
【００５６】
図１８（１）（２）（３）は、横にスライドする、スライド突起Ｈが、１〜３つあるが、それ以上あることも考えられる。
【００５７】
図１９（１）（２）（３）（４）のように、人体の前面から、上面、後面、までを、ほぐす形状もある。
【００５８】
このような形状により、肩、頸部をほぐす押圧突起Ｉだけでなく、肩甲骨周囲から、背部をほぐす、後方ほぐし部Ｊ、胸部をほぐす、前方ほぐし部Ｋ、により、広範囲に快適に使用できることの説明をしている。また、落ちることを防止する、いろいろな構造、形状が考えられる。
【００５９】
また、いろいろなマッサージ器具が肩押圧部１に使用されることが、考えられ、マッサージとバイブレーターが、同時に機能するものであることも考えられる。
【００６０】
そして、図２０（１）、（２）のように、肩部からも、こり部からも、ずれにくい工夫をした、前方ずれ防止部Ｌ、後方ずれ防止部Ｍを設けることもできる。
【００６１】
図２１（１）、（２）のような形状では、突起部Ｎが２個ある。この２個の突起部Ｎの間の、線条突起部Ｏの部分（３）は、突起部Ｎの部分（４）よりも鋭角的に形成され、突起部Ｎよりも、押圧した時に、コリ、ツボ部に強力な、刺激のほぐし効果を人体にくわえることができる。
【００６２】
図２２では、突起部Ｎが２個、突起部Ｐが１個あるが、それぞれの間の線条突起部Ｏは、突起部Ｎ、突起部Ｐよりも鋭角的に形成され、指圧効果が高い構造となっている。そして、２個ある突起部Ｎの真ん中の突起部Ｐは、従来の突起部と同じように点である凸部にて、コリ、ツボ部を押圧するため、ポイントから、ずれやすくなっている。
【００６３】
ただし、ポイントであるコリ、ツボ部から、ずれても、線条突起部Ｏの部分が鋭く押圧するので、ほぐすことには、効果的であり、使用感が心地よいものとなる。
【００６４】
さらに、２個の突起部Ｎは図２０の前方ずれ防止部Ｌ、後方ずれ防止部Ｍのように、ずれの防止に役立つ、そのことにより、薄い生地の服の上からでも、直接、皮膚にでもよいが、位置ずれしないように、ポイントに真ん中の突起部Ｐが合うように当てて、荷重し、押圧力を加える使用方法を行ったとき、真ん中の突起部Ｐは、皮膚の伸縮性を、効果的に利用して、ほぐすことができる。
【００６５】
また、この断面図に説明した突起部Ｎ、突起部Ｐと線条突起部Ｏの、刺激するための鋭さの組み合わせは説明したものと、全部同じでもよければ、すべて、違っていてもよく、突起部Ｎ、突起部Ｐ、線条突起部Ｏ、の関係は図に示した以外にも数多くの例が考えられる。そして、その組み合わせや、太さ、細さ、数、などは、使用感に合わせて考えられ、製作されるべきものである。
【００６６】
図２３（１）の湾曲剛性体部Ｑは湾曲した剛性を保持する。（１）、（２）、（３）の突起部Ｒは、湾曲した形状にて、ソフトな、ほぐし効果を人体に加える。（４）は棒状肩押圧部Ｓがあり、電池を入れ替える蓋Ｔがある。（５）は、電池Ｖを棒状肩押圧部Ｕの端部から、入れるような形状になっており、円柱状蓋Ｗがある。図２３（１）〜（５）では中に設けた振動子（図示せず）により、人体にバイブレーション効果を与える。
【００６７】
図２４（１）、（２）は、肩押圧部１が別部品として、押圧部１０１と、剛性体部１０２に、分かれている。突起部が３つある押圧部１０１は、取替えが出来るように、ジョイント部が、４つある。そこに、合わせて差し込めるようになっている4つのジョイント孔のある、剛性体部１０２を設けることもある。
【００６８】
（３）は突起部が２つある押圧部１０３を設けることもある。
（４）は、形状の異なる凸部Ｘ、Ｙ、Ｚを押圧部１０４に着脱出来てもよい。
【００６９】
また、肩押圧部１が別部品として、分かれているが、着脱方法は公知の手段を用いることもある。
【００７０】
図２５（１）、（２）、（３）は、このようにストラップ３に設けた挿入部１０５、挿入部１０６、挿入部１０７、である。
（１）の挿入部１０５、（２）の挿入部１０６、（３）の挿入部１０７、は、剛性体を挿入出来る構造であり、剛性体の形状に合わせて、変形する柔軟性がある。その為、挿入セット時には、容易に変形することのない剛性を有する。
【００７１】
（１）、（２）、（３）の矢印は、さまざまな形状の肩押圧部１を、挿入する方向の説明である。また挿入方法は公知の手段を用いることもある。
【００７２】
上記したように、必要に応じて肩押圧部１の取り替えが出来る為、オフィスなどで使用するときには、マッサージ効果、バイブ効果を発生させる部品は機械音を無くすため、取り変えて使用したり、始動させないで押圧マッサージのみだけで使用したりすることもできる。
【００７３】
また、マッサージ器具が動力で動くものなどでは、取り外しをしないで、そのマッサージ器具専用の構造とするものも、考えられる。
【００７４】
以下は、本考案によって可能になった、ほぐしの効果の、医学的な根拠を説明する。
【００７５】
肩こりのツボの肩中ゆ付近である頚椎Ｃ４から胸椎ＴＨ２（図２参照）は、肩、背中のこりとなる筋肉の支配神経がでている脊椎である。
【００７６】
肩中ゆ付近である頚椎Ｃ４から胸椎ＴＨ２をほぐすことは、肩、背中のこりとなる筋肉である、菱形筋、肩甲挙筋、前鋸筋、鎖骨下筋、棘上筋、棘下筋、肩甲下筋、大円筋、小円筋、三角筋、大胸筋、小胸筋、広背筋、上肢の筋肉を、収縮させ、動かしている、支配神経すべてを、ほぐすことになる。
【００７７】
そこで、本考案により可能になった、効果的な、ほぐしかた、その方法の、ひとつの例を記載する。
【００７８】
頚、肩のつらさを訴える患者には、頭部を前後屈、左右側屈、左右回旋に可動すると、一定の可動域にて、特につらさを、訴える患者が多数いる。
【００７９】
それに対して、本考案の人体ほぐし具では、頚椎Ｃ４から胸椎ＴＨ２までの、脊椎の、左右のどちらか片方を、押圧した状態と、首を前後屈、左右側屈、左右回旋のストレッチした状態を、組合わせておこなう、効果的な、ほぐしかたを可能にすることができる。
【００８０】
それは、患者が特につらさを感じる可動域に、頭部を動かし、ストレッチしながら、ほぐす方法である。この、ほぐし方法は、特に治療効果が、高い。
【００８１】
特に、後屈と押圧を組み合わせた、ほぐし方法は、頭部後方に、マッサージ器具がくるタイプの器具では、完全に無理であり、通常は、このような器具である。
【００８２】
また、上記したように、本考案でのみ使用可能な、今までに無い形状の、マッサージ効果のある器具、肩押圧部１を、使用することができる。
【図面の簡単な説明】
【００８３】
【図１】本考案人体ほぐし具の使用形態を示す正面図（２）と、側面図（１）、（３）。
【図２】同人体ほぐし具の図１の拡大図。
【図３】同人体ほぐし具の数例を説明した模式図。
【図４】本考案人体ほぐし具の一例を示す正面図（１）と、側面図（２）。
【図５】本考案人体ほぐし具の側面図（１）、（２）。
【図６】本考案の一例である人体ほぐし具の斜視図。
【図７】同人体ほぐし具の使用状態を示す側面図。
【図８】本考案人体ほぐし具の使用状態を示す側面図。
【図９】本考案人体ほぐし具の他の使用状態を示す側面図。
【図１０】本考案人体ほぐし具の他の使用状態を示す側面図。
【図１１】本考案人体ほぐし具の他の使用状態を示す側面図（１）、（２）。
【図１２】本考案人体ほぐし具の他の使用状態を示す側面図。
【図１３】本考案人体ほぐし具の肩押圧部の一例を示す正面図（１）、側面図（２）。
【図１４】本考案人体ほぐし具の肩押圧部の他の例を示す正面図。
【図１５】本考案人体ほぐし具の更に別の例を示す斜視図。
【図１６】本考案人体ほぐし具の肩押圧部の別の例を示す正面図（１）、（２）、（３）。
【図１７】本考案人体ほぐし具の肩押圧部の別の例を示す側面図（１）、（３）、（５）、正面図（２）、（４）、（６）。
【図１８】本考案人体ほぐし具の肩押圧部の別の例を示す斜視図（１）、（２）正面図（３）。
【図１９】本考案人体ほぐし具の肩押圧部の別の例を示す正面図（１）、（２）、（３）、（４）。
【図２０】本考案人体ほぐし具の一例を示す側面図（１）、部分図（２）。
【図２１】本考案人体ほぐし具の肩押圧部の別の例を示す正面図（１）と平面図（２）と側面図（３）、（４）。
【図２２】本考案人体ほぐし具の肩押圧部の別の例を示す正面図（１）と平面図（２）と側面図（３）、（４）、（５）。
【図２３】本考案人体ほぐし具の肩押圧部の別の例を示す正面図（１）、（４）、側面図（２）、平面図（３）、斜視図（５）。
【図２４】本考案人体ほぐし具の肩押圧部の別の例を示す平面図（１）、正面図（２）、（３）、（４）。
【図２５】本考案人体ほぐし具の肩押圧部の別の例を示す平面図（１）、（２）、（３）。
【図２６】従来の人体ほぐし具の問題点を説明した正面図（１）と側面図（２）。
【図２７】従来の人体ほぐし具の問題点を説明した模式図（１）、（２）。
【符号の説明】
【００８４】
１  肩押圧部
２  荷重部
３  ストラップ
４  足掛け部
５  ウエイト
Ａ  回転軸  
Ｂ  突条部
Ｃ  軸受け
Ｄ  ほぐし部カバー
Ｅ  胸、背、肩押圧部
Ｆ  押圧突起
Ｇ  突状突起
Ｈ  スライド突起
Ｉ  押圧突起
Ｊ  後方ほぐし部
Ｋ  前方ほぐし部
Ｌ  前方ずれ防止部
Ｍ  後方ずれ防止部
Ｎ  突起部
Ｏ  線条突起部
Ｐ  突起部
Ｑ  湾曲剛性体部
Ｒ  突起部
Ｓ  棒状肩押圧部
Ｔ  蓋
Ｕ  棒状肩押圧部
Ｖ  電池
Ｗ  円柱状蓋
Ｘ  押圧部
Ｙ  押圧部
Ｚ  押圧部
１０１  押圧部
１０２  剛性体部
１０３  押圧部
１０４  押圧部
１０５  挿入部
１０６  挿入部
１０７  挿入部
【図１】
0003146183.tif 000003
【図２】
0003146183.tif 000004
【図３】
0003146183.tif 000005
【図４】
0003146183.tif 000006
【図５】
0003146183.tif 000007
【図６】
0003146183.tif 000008
【図７】
0003146183.tif 000009
【図８】
0003146183.tif 000010
【図９】
0003146183.tif 000011
【図１０】
0003146183.tif 000012
【図１１】
0003146183.tif 000013
【図１２】
0003146183.tif 000014
【図１３】
0003146183.tif 000015
【図１４】
0003146183.tif 000016
【図１５】
0003146183.tif 000017
【図１６】
0003146183.tif 000018
【図１７】
0003146183.tif 000019
【図１８】
0003146183.tif 000020
【図１９】
0003146183.tif 000021
【図２０】
0003146183.tif 000022
【図２１】
0003146183.tif 000023
【図２２】
0003146183.tif 000024
【図２３】
0003146183.tif 000025
【図２４】
0003146183.tif 000026
【図２５】
0003146183.tif 000027
【図２６】
0003146183.tif 000028
【図２７】
0003146183.tif 000029